(57)【要約】【課題】本発明は、湾曲することができる柔軟性を有する電子装置を提供することを目的とする。【解決手段】本発明に係る電子装置は、外力によって平坦な状態と湾曲した状態との間で切り替えることができる本体と、本体に設置された定位部品と、を備える。定位部品は、本体と共に湾曲され且つ本体を湾曲した状態で維持する。定位部品は、複数の第一定位部が直列に並べられた第一定位部の列を備え、隣接する第一定位部同士は、隣接する第一定位部の各々に設けられた収容部と、隣接する第一定位部の各々の収容部に挿通される軸部とによって、相対的に回転可能に連接され、定位部品は、軸部によって本体と共に湾曲され、前記軸部と前記収容部との間で生じる摩擦力によって前記本体及び前記定位部品の湾曲した状態が維持される。【選択図】図６
2014220806.tif 000002
【特許請求の範囲】
【請求項１】
外力によって平坦な状態と湾曲した状態との間で切り替えることができる本体と、
本体に設置された定位部品と、
を備える電子装置であって、
前記定位部品は、前記本体と共に湾曲され且つ前記本体を湾曲した状態で維持することを特徴とする電子装置。
【請求項２】
前記定位部品は、複数の第一定位部が直列に並べられた第一定位部の列を備え、隣接する第一定位部同士は、前記隣接する第一定位部の各々に設けられた収容部と、前記隣接する第一定位部の各々の前記収容部に挿通される軸部とによって、相対的に回転可能に連接され、前記定位部品は、前記軸部によって前記本体と共に湾曲され、前記軸部と前記収容部との間で生じる摩擦力によって前記本体及び前記定位部品の湾曲した状態が維持されることを特徴とする請求項１に記載の電子装置。
【請求項３】
前記定位部品には、前記第一定位部の列が２列備えられていることを特徴とする請求項２に記載の電子装置。
【請求項４】
前記本体に設置される搭載部品を更に備え、前記搭載部品は柔軟性を有するディスプレイ部であることを特徴とする請求項１から３のいずれか一項に記載の電子装置。
【請求項５】
前記本体は上カバー及び下カバーを備え、前記下カバーは底板と、底板の対向する２つの外縁部からそれぞれ立設された２つの側辺部と、前記底板の他の対向する２つの外縁部からそれぞれ前記側辺部と同じ方向へ立設された端片部とを備え、前記２つの側辺部にそれぞれ前記第一定位部の列が設置されることを特徴とする請求項３に記載の電子装置。
【請求項６】
前記定位部品は、Ｕ字状を呈する２つの第二定位部を更に備え、前記２つの第二定位部はそれぞれ、前記下カバーの前記端片部に設置され、且つ、前記２つ第二定位部の各々の一端は、一方の第一定位部の列の両端に位置する第一定位部にそれぞれ回転可能に連接され、前記２つの第二定位部の各々の他端は、他方の第一定位部の列の両端に位置する第一定位部にそれぞれ回転可能に連接されることを特徴とする請求項５に記載の電子装置。
【請求項７】
柔軟性を有する弾性材料からなる維持部品を更に備え、前記維持部品は、前記定位部品の前記下カバーから離間した前記定位部品の表面に設置され、前記本体及び前記定位部品を平坦な状態で維持することを特徴とする請求項５又は６に記載の電子装置。
【請求項８】
柔軟性を有する弾性材料によって製造される基板を更に備え、前記基板は前記本体と前記定位部品との間に設置されることを特徴とする請求項１から７の何れか一項に記載の電子装置。
【請求項９】
各前記収容部には、前記収容部の両端及び一側を貫通する貫通孔が設けられていることを特徴とする請求項２から３及び５から７の何れか一項に記載の電子装置。
【発明の詳細な説明】
【技術分野】
【０００１】
本発明は、柔軟性を有する電子装置に関するものである。
【背景技術】
【０００２】
従来の技術において、携帯電話などの電子装置のカバーなどは剛性材料によって製造されるため、これらの電子装置は湾曲できない。従って、外出する際、他の携帯物を一緒に入れて持ち運びたい場合、大きなサイズを有するバックなどを使用しなければならないため不便である。
【発明の概要】
【発明が解決しようとする課題】
【０００３】
本発明の目的は、前記問題を解決し、湾曲することができる柔軟性を有する電子装置を提供することである。
【課題を解決するための手段】
【０００４】
上記目的を達成するために、本発明に係る電子装置は、外力によって平坦な状態と湾曲した状態との間で切り替えることができる本体と、本体に設置された定位部品と、を備え、前記定位部品は、前記本体と共に湾曲され且つ前記本体を湾曲した状態で維持される。また、前記定位部品は、複数の第一定位部が直列に並べられた第一定位部の列を備え、隣接する第一定位部同士は、前記隣接する第一定位部の各々に設けられた収容部と、前記隣接する第一定位部の各々の前記収容部に挿通される軸部とによって、相対的に回転可能に連接され、前記定位部品は、前記軸部によって前記本体と共に湾曲され、前記軸部と前記収容部との間で生じる摩擦力によって前記本体及び前記定位部品の湾曲した状態が維持される。さらに、前記定位部品には、前記第一定位部の列が２列備えられる。
【発明の効果】
【０００５】
本発明に係る電子装置は、湾曲されると、定位部品によって、湾曲した状態が維持される。特に、定位部品が、複数の第一定位部が直列に並べられた第一定位部の列を備え、隣接する第一定位部同士が、隣接する第一定位部の各々に設けられた収容部と、隣接する第一定位部の各々の収容部に挿通される軸部とによって、相対的に回転可能に連接されている構成では、軸部と収容部との間に生じる摩擦力によって、電子装置の湾曲した状態が維持される。
【図面の簡単な説明】
【０００６】
【図１】本発明の第一実施形態に係る電子装置の組立斜視図である。
【図２】図１に示す電子装置の分解斜視図である。
【図３】本発明の第二実施形態に係る電子装置の分解斜視図である。
【図４】図３に示す電子装置の定位部品と維持部品の分解斜視図である。
【図５】図３に示す電子装置の定位部品と維持部品の組立斜視図であって、定位部品が湾曲された状態を示す図である。
【図６】図３に示す電子装置の組立斜視図であって、電子装置が湾曲された状態を示す図である。
【発明を実施するための形態】
【０００７】
図１及び図２に示したように、本発明の実施形態に係る電子装置１００は、本体１と、本体１に収容される基板４と、本体１に設置される搭載部品５と、を備える。本実施形態において、電子装置１００は、携帯電話であるが、他の実施形態において、電子装置１００は、タブレットパソコン又はディスプレイなどであってもよい。
【０００８】
本体１は、下カバー１０と、下カバー１０に係合される上カバー２０と、を備える。下カバー１０は、矩形を呈する底板１１と、底板１１の対向する２つの外縁部からそれぞれ立設された二つの側辺部１２と、底板１１の他の対向する２つの外縁部からそれぞれ立設された端片部１４と、を備える。下カバー１０には、回路基板などの電子部品(図示せず)を収容する収容空間１６が形成されており、上カバー２０には、下カバー１０と対応する収容溝２１が設けられている。本体１及び基板４は、プラスチック、金属、ガラス又は他の弾性変形及び弾性回復できる柔軟性を有する弾性材料からなる。。従って、本体１は、外力によって湾曲されても、外力が解除されると弾性回復できる。本実施形態において、本体１は、柔軟性を有するプラスチックからなる。本体１に収容される回路基板も柔軟性を有する材料からなる。
【０００９】
本実施形態において、基板は矩形を呈し且つ中空である。基板４は、液体金属、柔軟性を有する金属、チタニウムなどからなり、側辺部１２及び端片部１４により形成される空間に設置される。他の実施形態において、基板４は、円柱状、又は細い板体などの構造であってもよい。
【００１０】
電子装置１００を組み立てる際、基板４は側辺部１２及び端片部１４に粘着される。搭載部品５は、上カバー２０の収容溝２１に且つ上カバー２０の上面と同じ平面上に設置される。基板４、本体１及び搭載部品５の一端は、外力によって該一端から一つの端片部１４に向けて湾曲される。外力が解除されると、基板４、本体１及び搭載部品５は弾性回復する。
【００１１】
図３は、本発明の第二実施形態に係る電子装置２００の分解斜視図である。
【００１２】
電子装置２００は、外力によって湾曲することも弾性回復することもできる。電子装置２００が湾曲されるというのは、電子装置２００の一端が電子装置２００の他端に向けて湾曲されることである。電子装置２００は、電子装置１００に比べて、定位部品３を更に備え、この定位部品３は、湾曲した電子装置２００を所定の角度で維持させることができる。
【００１３】
定位部品３は、側辺部１２及び端片部１４上に且つ基板４と下カバー１０との間に固定される。定位部品３は、複数の第一定位部３０が直列に並べられた第一定位部の列と、Ｕ字状を呈し且つ互いに対向する２つの第二定位部３２と、を備える。第一定位部３０の列は、二つの側辺部１２各々に対応して２列が備えられ、２列の第一定位部３０の列は、第二定位部３２の対向する両端の間に設置される。定位部品３には、収容空間１６に対応して開口３６が設けられている。第一定位部の列は、１列に６つの第一定位部３０を備える。なお、上記した実施形態では、第一定位部の列が２列備えられた構成について説明しているが、本発明は、第一定位部の列が１列だけ、或いは３列以上備えられた構成にすることも可能である。
【００１４】
各第一定位部３０は、メイン部３３０、メイン部３３０の両端にそれぞれ設置された第一収容部３３２及び第二収容部３３４を備える。各第二定位部３２は、Ｕ字状を呈するメイン部３３７、メイン部３３７の両端にそれぞれ設置される第一収容部３３２及び第二収容部３３４を備える。隣接する２つの第一定位部３０同士は、隣接する第一定位部３０の一方に設けられた第一収容部３３２又は第二収容部３３４と、隣接する第一定位部３０の他方に設けられた第二収容部３３４又は第一収容部３３２と、隣接する第一定位部３０の各々に設けられた第一収容部３３２及び第二収容部３３４に挿通される軸部３５とによって、相対的に回転可能に連接される。第二定位部３２と、第一定位部の列の中で両端に位置する第一定位部３０とは、第二定位部３２の第一収容部３３２又は第二収容部３３４と、隣接する第一定位部３０に設けられた第二収容部３３４または第一収容部３３２と、それら第一収容部３３２及び第二収容部３３４に挿通される軸部３５とによって、相対的に回転可能に連接される。本実施形態において、第一収容部３３２は、一つの収容輪を備え、第二収容部３３４は、間隔をあけて配置された２つの収容輪を備える。第一収容部３３２の収容輪は、第二収容部３３４の２つの収容輪の間に収容される。なお、他の実施形態において、第二収容部３３４は一つの収容輪のみ設けてもよい。第一収容部３３２には、この第一収容部３３２の両端及び内側を貫通する第一貫通孔３３６が設けられている。第二収容部３３４には、第二収容部３３４の両側(２つの収容輪を備える場合、２つの収容輪の両側)及び第二収容部３３４の内側を貫通する第二貫通孔３３８が設けられている。各軸部３５は、一つの第一貫通孔３３６及び対応する第二貫通孔３３８を挿通する。隣接する２つの第一定位部３０を、それらを連結する軸部３５を中心に回転させたり、又は第二定位部３２とそれに隣接する第一定位部３０とを、それらを連結する軸部３５を中心に回転させたりすると、軸部３５とその軸部３５が挿通する第一貫通孔３３６及び第二貫通孔３３８の内壁との間には、本体１及び搭載部品５が外力によって湾曲した際に生じする本体１及び搭載部品５の弾性回復力より強い摩擦力が生じるので、外力が解除されても、電子装置２００を湾曲したままの状態に維持させることができる。
【００１５】
本実施形態において、第一定位部３０のメイン部３３０及び第二定位部のメイン部３３７は、プラスチック、金属、ガラス、又は他の柔軟性を有する弾性材料からなる。第一収容部３３２及び第二収容部３３４は、剛性材料からなる。第一定位部３０の列は、１列に６つの第一定位部３０を備えるので、本体１及び搭載部品５は外力によって、７箇所で湾曲させることができ、且つ湾曲したままの状態に維持することができる。他の実施形態において、第一定位部３０及び第二定位部３２の数、設置位置、回転方法、角度などは、ユーザの必要に応じて変更してもよい。例えば、第二定位部３２を省略し、第一定位部３０を側辺部１２のいずれか一つに、あるいはそれぞれに設置してもよい。
【００１６】
図４に示すように、本実施形態では、電子装置１００が、定位部品３に取り付けられる維持部品３４をさらに備えている。維持部品３４の外周部及び内周部の形状は、基板４及び定位部品３の外周部及び内周部の形状と同じである。維持部品３４及び基板４は、それらの間に定位部品３を挟み込むように、定位部品３に対して互いに反対側にそれぞれ設置される。基板４の定位部品３に面する側には、第一定位部３０をそれぞれ収容する複数の窪み部(図示せず)が設けられている。また、維持部品３４には複数の貫通孔３４１が設けられているため、維持部品３４を軽量化することができる。維持部品３４は、プラスチック、金属、ガラス、又は他の柔軟性を有する弾性材料からなる。
【００１７】
搭載部品５は、上カバー２０に設置され、且つ収容溝２１内に収容される。本実施形態において、搭載部品５は、本体１と共に湾曲することができる柔軟性を有するディスプレイパネルであり、液晶ディスプレイパネル又はタッチパネルであってもよい。
【００１８】
組み立てる際、基板４は定位部品３に粘着される。第一定位部３０は、基板４の窪み部(図示せず)にそれぞれ収容される。搭載部品５は、上カバー２０の収容溝２１内に収容され、この際、上カバー２０の上面と同一表面上に配置する。定位部品３は、本体１の側辺部１２及び端片部１４に固定され、基板４を上カバー２０に対面させる。一列、あるいは二列の第一定位部３０は、側辺部１２のいずれか一つに、あるいはそれぞれ固定され、第二定位部３２は、基板４の両端にそれぞれ固定される。
【００１９】
図４及び図５に示したように、電子装置１００を湾曲させる際、電子装置１００を、同一線上に位置する２つの軸部３５を介して第一方向に向けて湾曲させ、且つ軸部３５に対応する第一収容部３３２と第二収容部３３４との間で生成された摩擦力によって、所定の角度に湾曲して維持させる。
【００２０】
湾曲した電子装置１００を回復させる場合、電子装置１００の湾曲した部分を第一方向と反対する第二方向に向けて動かし、電子装置１００を平坦な状態に戻す。この際、電子装置１００は、弾性力を有する維持部３４によって平坦な状態に維持される。
【符号の説明】
【００２１】
１  本体
１０  下カバー
１００、２００  電子装置
１１  底板
１２  側辺部
１４  端片部
１６  収容空間
２０  上カバー
２１  収容溝
３  定位部品
３０  第一定位部
３２  第二定位部
３３０、３３７  メイン部
３３２  第一収容部
３３４  第二収容部
３３６  第一貫通孔
３３８  第二貫通孔
３４１  貫通孔
３４  維持部
３５  軸部
３６  開口
４  基板
５  搭載部品
【図１】
2014220806.tif 000003
【図２】
2014220806.tif 000004
【図３】
2014220806.tif 000005
【図４】
2014220806.tif 000006
【図５】
2014220806.tif 000007
【図６】
2014220806.tif 000008